(57)【特許請求の範囲】
【請求項１】
遊技機本体の裏面側に、
遊技島設備の補給樋から供給された遊技球を受け入れる球タンクと、
球タンクから放出された遊技球を流下させる下方傾斜したタンクレールと、
該タンクレール内における遊技球の流下方向に直交させてタンクレールの上方に突設された支持軸と、
タンクレールに沿って回動可能となるように支持軸から吊り下げられて、当該タンクレール内を積み重なって流下する遊技球を平らに均す球均し部材と
を備えたパチンコ遊技機において、
球均し部材は、タンクレール内の遊技球の流路を遮断するための遮断端部が形成された可動球止片を具備してなり、
該可動球止片は、遮断端部を支持軸から離間する方向に突出させてタンクレール内の遊技球の流路を遮断可能となる球止め位置と、遮断端部を支持軸方向に退避してタンクレール内の遊技球の流路を遮断不能となる球均し位置とに変換可能なものであり、
さらに、可動球止片の遮断端部がタンクレール内の遊技球の流路を遮断した状態で、遮断端部がタンクレール下流側へ移動しないよう保持する端部保持手段を備えることを特徴とするパチンコ遊技機。
【請求項２】
球均し部材は、支持軸に回動可能に軸支される揺動片を備え、
可動球止片は、該揺動片の下部に回動可能に軸支されて遮断端部を支持軸に対して離近させるものであり、
遮断端部には、可動球止片を球均し位置に係止するための球均し係止手段が設けられていることを特徴とする請求項１記載のパチンコ遊技機。
【請求項３】
端部保持手段は、支持軸と揺動片の少なくとも一方に配設されて揺動片の回動範囲を規定する上部回動範囲規定手段と、揺動片と可動球止片の少なくとも一方に配設されて可動球止片の回動範囲を規定する下部回動範囲規定手段とで構成されることを特徴とする請求項２記載のパチンコ遊技機。
【請求項４】
球均し部材は、支持軸に回動可能に軸支される揺動片と、
長尺状のガイド溝に支持軸を挿通させて、該支持軸がガイド溝の長手方向に沿って相対移動するように移動させることによって球均し位置と球止め位置とに変換可能な可動球止片と、
可動球止片の球均し位置において支持軸をガイド溝内で保持し、可動球止片を、支持軸を中心に回動可能とする支持軸保持手段とを備えてなり、
可動球止片の球均し位置では、可動球止片と揺動片とが一体となって回動可能となり、タンクレール内にある遊技球に均し作用を生じることを特徴とする請求項１記載のパチンコ遊技機。
【請求項５】
端部保持手段は、遮断端部に形成される係合凸部と、該係合凸部と係合可能なタンクレール内底面の係合凹部とで構成されることを特徴とする請求項２又は請求項４に記載のパチンコ遊技機。
【請求項６】
端部保持手段は、遮断端部に形成されて、遮断端部がタンクレール内の遊技球の流路を遮断した状態でタンクレール内を流下する遊技球を収容する収容凹部により構成されることを特徴とする請求項４記載のパチンコ遊技機。
【発明の詳細な説明】
【技術分野】
【０００１】
本発明は、タンクレール内を積み重なった状態で流下する遊技球を平らに均すための球均し部材を備えたパチンコ遊技機に関する。
【背景技術】
【０００２】
一般に、パチンコ遊技機にあっては、図２７に示すように、遊技機本体の裏面側に装着される裏機構板ｍの上部位置に、遊技島設備の補給樋から供給された遊技球を受け入れる球タンクｋと、該球タンクｋから放出された遊技球を流下させる緩勾配で下方傾斜した左右方向のタンクレールａとが配設されており、該タンクレールａを流下する遊技球は上下方向の球通路ｅを介して下方の球払出装置ｆに送られるようになっている。
【０００３】
前記タンクレールａには、遊技球が積み重なった状態で流下することに起因して発生する種々の不具合を未然に防ぐために球均し部材ｂが設けられており、この球均し部材ｂによって積み重なった状態の遊技球を平らに均すようにしている（以下、球均しという。）。従来の球均し部材ｂは、タンクレールａ内における遊技球の流下方向に直交させてタンクレールａの上方に突設された支持軸ｃに上端部を軸支してタンクレールａに沿って回動可能に取り付けられており、下端部には回動した球均し部材ｂを垂下状態に復帰させる重錘ｄが収納されている。そして、遊技球がタンクレールａ内を積み重なった状態で流下した場合に、球均し部材ｂが、タンクレールａの上流側から遊技球の流圧を受けて下流側へ回動し、該球均し部材ｂの最下端部分とタンクレールａの内底面との間に前記回動に伴って生じる遊技球１個分の間隙から最下層の遊技球を流下させるとともに、重錘ｄによって垂下状態に復帰しようとする球均し部材ｂの復帰力により、最下層の遊技球上に積み重なる遊技球を押し下げて、タンクレールａ内を積み重なった状態で流下する遊技球を平らに均すようにしている（例えば、特許文献１，２参照）。
【０００４】
また、上述したように、タンクレールａを流下する遊技球は球通路ｅを介して球払出装置ｆに送られる。ここで、故障や保守点検等で該球払出装置ｆや球通路ｅを取り外す場合にはタンクレールａ内から流下する遊技球が機外にこぼれ落ちるおそれがあるため、かかる場合には、タンクレールａの下端近傍部に配設された球止め部材ｇによって、タンクレールａの遊技球通過を遮断するようにしている（以下、球止めという。）。従来の球止め部材ｇは、略直角に曲成されたストッパ片部ｈを先端に備えた断面略Ｌ形の帯板材からなり、その基部がタンクレールａの上部に横架された回動軸ｊに回動可能に軸支されている。そして、回動軸ｊの上部側で、基部を支点として正逆いずれかの方向へ球止め部材ｇを選択的に回動させることにより、先端のストッパ片部ｈがタンクレールａ内に挿入されて遊技球を塞き止める球止め位置と、タンクレールａ内から退避して遊技球の流下を許容する待機位置とに変換可能に設けられている（例えば、特許文献３参照）。
【特許文献１】特開平８−８４８３６号公報（段落番号[０００３]、図５）
【特許文献２】特開平８−２４３２１１号公報（段落番号[０００２]、図８）
【特許文献３】特開平９−７０４７６号公報（段落番号[０００２]、図１１）
【発明の開示】
【発明が解決しようとする課題】
【０００５】
ところで、パチンコ遊技機においては、遊技盤の裏面側に突出した状態で取り付けられる制御装置や該制御装置の保護カバーとの干渉を避けるために、裏機構板ｍの略中央部に矩形状の開口部ｎ（図２７参照）が形成されており、該開口部ｎの上方に前記球タンクｋとタンクレールａが配設され、該開口部ｎの側方に前記球通路ｅと球払出装置ｆが配設されている。さらに裏機構板ｍには、遊技状態等の所要情報信号を出力する情報端子基板ｐ（図２７参照）が、遊技島設備の通信装置との配線が容易な裏機構板ｍの上部位置で、球タンクｋの横に並べて配設されており、該情報端子基板ｐの下方に前記タンクレールａの球止め部材ｇが配設された位置関係となっている。一方、近年、遊技領域の拡大化や図柄表示装置の大型化によって遊技盤のサイズが拡大され、これに対応して裏機構板ｍの開口部ｎも大きくなる傾向にある。そして、このように裏機構板ｍの開口部ｎが大きくなると、これに伴って前記タンクレールａと情報端子基板ｐとの上下間隔が狭くなることとなる。ここで、タンクレールａの下端近傍部に配設されている従来の球止め部材ｇにあっては、回動軸ｊの上部側で、基部を支点として回動操作を行うものであるため、上記のようにタンクレールａと情報端子基板ｐとの上下間隔が狭くなると操作スペースが減少し、球止め部材ｇの回動操作がし難くなったり、情報端子基板ｐに接続されている配線ケーブルに先端のストッパ片部ｈが引っ掛かったりする不具合が生じることとなり、裏機構板ｍの開口部ｎの拡大に伴う操作スペースの減少化に対応できないという問題点があった。
【０００６】
本発明は、このような問題点を解消するためになされたものであって、裏機構板の開口部の拡大による操作スペースの減少化にも対応可能な球止め機能も具備する球均し部材を備えたパチンコ遊技機を提供することを目的とするものである。
【課題を解決するための手段】
【０００７】
本発明は、遊技機本体の裏面側に、遊技島設備の補給樋から供給された遊技球を受け入れる球タンクと、球タンクから放出された遊技球を流下させる下方傾斜したタンクレールと、該タンクレール内における遊技球の流下方向に直交させてタンクレールの上方に突設された支持軸と、タンクレールに沿って回動可能となるように支持軸から吊り下げられて、当該タンクレール内を積み重なって流下する遊技球を平らに均す球均し部材とを備えたパチンコ遊技機において、球均し部材は、タンクレール内の遊技球の流路を遮断するための遮断端部が形成された可動球止片を具備してなり、該可動球止片は、遮断端部を支持軸から離間する方向に突出させてタンクレール内の遊技球の流路を遮断可能となる球止め位置と、遮断端部を支持軸方向に退避してタンクレール内の遊技球の流路を遮断不能となる球均し位置とに変換可能なものであり、さらに、可動球止片の遮断端部がタンクレール内の遊技球の流路を遮断した状態で、遮断端部がタンクレール下流側へ移動しないよう保持する端部保持手段を備えることを特徴とするパチンコ遊技機である。
【０００８】
かかる構成によれば、可動球止め片の球均し位置では、タンクレール内の遊技球の流路は遮断端部によって遮断されず、球均し部材の下端とタンクレールの内底面との間に遊技球が通過可能な間隙が生じることとなる。かかる状態では、球均し部材は、上流側から積み重なって流下してくる遊技球のうち、最下層の遊技球を通過させると共に、最下層の遊技球上に積み重なっている上層の遊技球と当接して下流側に回動し、垂下状態に復帰しようとする復帰力によって上層の遊技球を下方に押圧することによって、タンクレール内を積み重なった状態で流下する遊技球を一層に均すこととなる。
【０００９】
一方で、可動球止片の球止め位置では、遮断端部によってタンクレール内の遊技球の流路を遮断可能となると共に、端部保持手段によって、タンクレールの流路を遮断した状態で遮断端部を下流側に移動しないよう保持可能となり、遮断端部によってタンクレールの遊技球を塞き止めることが可能となる。
【００１０】
このように、本発明の球均し部材は、可動球止片を球均し位置とすることによって既存の球均し部材同様の球均し機能を発揮するとともに、可動球止片を球止め位置とすることによってタンクレール内の遊技球の流れを遮断する球均し機能を発揮することができる。したがって、通常時は、可動球止片を球均し位置に保持することで、球均し部材によりタンクレール内の遊技球の球均しを行うことができると共に、保守点検や交換のために球止めを行うときには、可動球止片を球止め位置に変換することで、球均し部材によってタンクレール内の遊技球の流下を遮断することができる。このため、本発明では、従来の球止め部材を裏機構板から省略することができ、裏機構板のスペースを有効活用することが可能となる。
【００１１】
具体的には、球均し部材は、支持軸に回動可能に軸支される揺動片を備え、可動球止片は、該揺動片の下部に回動可能に軸支されて遮断端部を支持軸に対して離近させるものであり、遮断端部には、可動球止片を球均し位置に係止するための球均し係止手段が設けられている構成が提案される。かかる構成では、可動球止片は、支持軸に直接軸支された揺動片の下部に軸支され、揺動片に軸支された部分を中心に回動することにより球均し位置と球止め位置とに変換可能となる。また、球均し係止手段によって可動球止片を球均し位置で支持軸や揺動片に係止することで、可動球止片の球均し位置で、可動球止片と揺動片とを一体的に回動させて球均しをさせることが可能なる。
【００１２】
上記構成にあっては、端部保持手段は、支持軸と揺動片の少なくとも一方に配設されて揺動片の回動範囲を規定する上部回動範囲規定手段と、揺動片と可動球止片の少なくとも一方に配設されて可動球止片の回動範囲を規定する下部回動範囲規定手段とで構成されることが提案される。すなわち、かかる構成では、上部回動範囲規定手段と下部回動範囲規定手段により揺動片と可動球止片の回動範囲を夫々適正範囲に設定することによって、遮断端部がタンクレール内の遊技球の流路を遮断する位置において、揺動片と可動球止片がタンクレールの下流側へ回動不能となるようにして、これにより、遮断端部が遊技球の流圧によって下流側に回動しないよう保持可能とするものである。
【００１３】
また、球均し部材は、支持軸に回動可能に軸支される揺動片と、長尺状のガイド溝に支持軸を挿通させて、該支持軸がガイド溝の長手方向に沿って相対移動するように移動させることによって球均し位置と球止め位置とに変換可能な可動球止片と、可動球止片の球均し位置において支持軸をガイド溝内で保持し、可動球止片を、支持軸を中心に回動可能とする支持軸保持手段とを備えてなり、可動球止片の球均し位置では、可動球止片と揺動片とが一体となって回動可能となり、タンクレール内にある遊技球に均し作用を生じる構成も提案される。かかる構成では、揺動片と可動球止片の夫々を直接支持軸に取り付けるため、可動球止め部材がより安定に保持されることとなる。
【００１４】
ここで、端部保持手段は、遮断端部に形成される係合凸部と、該係合凸部と係合可能なタンクレール内底面の係合凹部とで構成されることが提案される。すなわち、かかる構成は、可動球止片の球止め位置で遮断端部がタンクレールの内底面に当接可能とすると共に、遮断板部が流路を遮断した状態で、遮断端部の係合凸部をタンクレール内底面の係合凹部と係合することにより、遮断端部がタンクレール下流側へ移動しないよう保持するものである。かかる構成では、遊技球の流圧が加わる遮断端部を直接支持するため、遮断端部が回動しないよう確実に保持可能となる。
【００１５】
また、端部保持手段は、遮断端部に形成されて、遮断端部がタンクレール内の遊技球の流路を遮断した状態でタンクレール内を流下する遊技球を収容する収容凹部により構成されることも提案される。かかる構成では、遮断端部がタンクレール内の遊技球の流路を遮断した状態で、タンクレールの上流側から流下する遊技球を収容凹部に受け入れて、当該収容した遊技球の重みによって遮断端部を下流側に移動しないよう保持する。このため、本構成では、保持部材によって可動球止片を保持したり、可動球止片をタンクレール等に係止したりすることなく遮断端部を保持可能となる。
【００１６】
なお、本発明の可動球止片は金属製とすることが望ましい。かかる構成では、可動球止片の重量が比較的重くなり、球均し位置で球均し部材の重錘として機能させることができると共に、球止め位置では、遊技球の流圧により可動球止片が動き難くなるからである。
【発明の効果】
【００１７】
以上に述べたように、本発明は、球均し部材が、遮断端部によって遊技球の流路を遮断可能となる球止め位置と遮断不能となる球均し位置とに変換可能な可動球止片と、遊技球の流路を遮断した状態で遮断端部がタンクレール下流側へ回動しないよう保持する端部保持手段とを備えることを特徴とするパチンコ遊技機であるから、保守点検や交換のために球止めを行う必要が生じたときに、可動球止片を球均し位置から球止め位置に変換することによって、球均し部材によってタンクレール内の遊技球の流下を遮断することができる。このため、本発明では従来の球止め部材を省略して裏機構板のスペースに余裕を持たせることが可能となり、裏機構板の開口部を拡大したとしても可動球止片を操作するスペースが不足せず不具合が生じないという利点がある。また、従来の球止め部材を省略することによって、遊技機の部材点数を減少できると共に製造時の組付作業を簡易することができ、製造コストを削減することもできる。
【００１８】
特に、本発明では、タンクレールの流路を遮断するための遮断端部を、球均し位置において支持軸方向に退避させるため、球均し部材によって球均しを行う時に、通過させるべきタンクレール最下層の遊技球に球均し部材が干渉せず、円滑な球流れを実現できるといった利点がある。
【００１９】
上記構成にあって、可動球止片が、支持軸に回動可能に軸支される揺動片の下部に軸支されると共に、遮断端部に、可動球止片を球均し位置に係止するための球均し係止手段が設けられている場合には、球均しを行う際に可動球止片を球均し位置に安定して保持できるため、タンクレールを流下する遊技球によって球均し部材が回動・振動しても、可動球止片が球止め位置へ変位して遊技球の流路が妨げられるおそれがない。
【００２０】
ここで、端部保持手段を、揺動片の回動範囲を規定する上部回動範囲規定手段と、可動球止片の回動範囲を規定する下部回動範囲規定手段とで構成した場合には、端部保持手段をコンパクトな構成により実現できるため、端部保持手段を配設するためのスペースが裏機構板に殆ど必要がないという利点がある。また、端部保持手段は裏機構板に直接取り付ける必要がないため組付作業も容易となる。さらに、本構成では、可動球止片を球止め位置に変換して、遮断端部でタンクレール内の流路を遮断するだけで遮断端部が下流側に回動しないよう保持されるため、遮断端部を保持するための操作も必要ない。
【００２１】
また、球均し部材が、支持軸に回動可能に軸支される揺動片と、支持軸がガイド溝の長手方向に沿って相対移動するように移動することによって球均し位置と球止め位置とに変換可能な可動球止片とを備え、可動球止片の球均し位置で、可動球止片と揺動片とが一体となってタンクレール内にある遊技球に均し作用を生じるようにした場合にも、可動球止片を位置変換することによって、球均し部材により球均しと球止めを適切に行うことができる。特に、本構成では、揺動片と可動球止片の夫々を直接支持軸に取り付けるため、可動球止片を安定に保持することができ、また、揺動片には可動球止片を保持するための機構を設ける必要がない。また、可動球止片が揺動片を介さず支持軸に直接保持されるため、遮断端部がタンクレール下流側へ回動しないよう保持する端部保持手段を比較的簡素なものにできる。
【００２２】
また、上記構成にあって、端部保持手段を、遮断端部の係合凸部と、該係合凸部と係合可能なタンクレール内底面の係合凹部とで構成した場合には、遊技球の流圧を受ける遮断端部を直接支持するため可動球止片を確実に保持できる。特に、遮断端部は、可動球止片の位置変換に伴って支持軸周囲を大きく移動するものであるため、係合凸部と係合凹部の係合部には強い力が加わり難く、遊技球の流圧によって係合凸部と係合凹部との係合が外れ難いという利点がある。また、本構成によれば、可動球止片とタンクレールに係合凸部と係合凹部を事前に形成するだけで、部品点数を増加させずに端部保持手段が実現できるという利点もある。
【００２３】
また、端部保持手段を、遮断端部がタンクレール内の遊技球の流路を遮断した状態で、タンクレール内を流下する遊技球を収容する収容凹部により構成した場合には、遮断端部に形成される収容凹部のみで端部保持手段を実現できるため、部品点数を増加させずに端部保持手段を実現できると共に、可動球止片を端部保持手段によって保持する際に、可動球止片をタンクレール等に係止するといった手間を要しないという利点がある。
【発明を実施するための最良の形態】
【００２４】
本発明の実施形態を、以下の各実施例に従って説明する。
【００２５】
第一実施例のパチンコ遊技機１は、図１，図２に示すように、遊技島設備（図示省略）に固定される外枠２と、該外枠２の前面開口部を覆う遊技機本体３とからなる。
【００２６】
遊技機本体３は、略正方形状の開口部５が中央上部に形成された前枠６を備え、該前枠６の一側縁がヒンジ部材４，４を介して外枠２に開閉可能に枢着されている。この前枠６には、略円形のレール７により区画形成された遊技領域を備える遊技盤８が前記開口部５に嵌合された状態で取り付けられており、さらに前枠６には、遊技盤８を覆うガラス扉１０と、上受皿１１を備えた上皿パネル１２とが夫々開閉可能に軸支されている。また、前枠６の下部には、上受皿１１の下方に位置させて下受皿１３が一体形成されており、該下受皿１３の右側方に発射ハンドル１４が配設されている。なお、図示省略されているが、前記遊技盤８の遊技領域には、図柄表示装置，大入賞口，電動役物，遊技釘，風車等の各種遊技部材が所定位置に配設されている。
【００２７】
一方、遊技機本体３の裏面側には、遊技盤８の背面に当接させるようにして裏機構板１５（図３参照）が対設されている。該裏機構板１５は、その一側縁が前枠６の裏面側縁部にヒンジ部材１６，１６を介して開閉可能に枢結されている。該裏機構板１５には、図３に示すように、その上部に球タンク１７が配設されており、図示しない遊技島設備の補給樋から可撓パイプを介して供給される遊技球を該球タンク１７内に受け入れ得るようになっている。また、裏機構板１５には、球タンク１７の底壁に開口された球出口１８から放出される遊技球を受け入れて流下させる緩勾配で下方傾斜した左右方向のタンクレール１９と、該タンクレール１９の下端部と連通して遊技球を下方の球払出装置２０に導く上下方向の球通路２１とが設けられている。また、裏機構板１５には、前記球払出装置２０から払い出される遊技球をさらに下方に導く二股状に分岐された払出し流路２２ａ，２２ｂが設けられており、その一方の払出し流路２２ａは上受皿１１の球出口２３に連通され、他方の払出し流路２２ｂは下受皿１３の球出口２４に連通されている。なお、前記タンクレール１９，球通路２１，払出し流路２２ａ，２２ｂは、透光性を有する合成樹脂によって形成されており、内部を流下する遊技球を視認し得るようになっている。
【００２８】
また、裏機構板１５には、遊技盤８の裏面側に突出した状態で取り付けられる制御装置や該制御装置の保護カバー（いずれも図示省略）との干渉を避けるために、その略中央部に矩形状の開口部２５が形成されており、該開口部２５の上方に前記タンクレール１９が配設され、該開口部２５の側方に前記球通路２１と球払出装置２０が配設されている。さらに裏機構板１５の上部位置には、遊技状態等の所要情報信号を出力する情報端子基板２６が、球タンク１７の横に並べて配設されている。
【００２９】
以下に、本発明の要部に係る構成を詳細に説明する。
前記タンクレール１９は、図４に示すように、底壁部３０と前後の側壁部３１ａ，３１ｂとにより断面略コ字形に形成され、その内部には底壁部３０に立設された仕切り壁部３２によって二条の流路３３，３３が区画形成されている。この流路３３，３３の各横幅は、遊技球ｘの直径寸法より若干広く設定されており、これによって、遊技球ｘを一列状に整列させて流下させ得るようになっている。また、タンクレール１９の中流部位には、本発明の要部にかかる球均し部材３５（図３参照）が配設されている。この球均し部材３５より上流側の側壁部３１ｂは、所定高さ位置まで上方に延設されており、該側壁部３１ｂによってタンクレール１９の後面側の側部を遮断して、遊技球ｘが積み重なった状態で流下してもタンクレール１９からこぼれ落ちないようにしている。
【００３０】
図５（ａ），（ｂ）に示すように、裏機構板１５の、タンクレール１９中流部位の上方位置には、タンクレール１９内における遊技球の流下方向に直交する細長円柱形状の支持軸３６が突設される。前記球均し部材３５は、この支持軸３６に上端部を軸支されて、タンクレール１９に沿って回動可能となるよう吊り下げられる。この支持軸３６は、太径の根元側部分と細径の先端側部分とからなり、球均し部材３５が支持軸３６の先端側部分で保持されるようになっている。また、支持軸３６の先端には、球均し部材３５の脱落を防止する脱落防止用ビス３８が螺着される。さらに、支持軸３６の先端側部分には、球均し部材３５の回動範囲を規定するための切欠状の規制欠部４２が軸方向に沿って形成される。
【００３１】
球均し部材３５は、図５，６に示すように、前後対称形状をなすものであって、支持軸３６に直接吊り下げられる中央の揺動片３９と、該揺動片３９の前後に夫々軸支される可動球止片４０，４０とで構成される。
【００３２】
揺動片３９は、図６に示すように、正面視略長円形状の樹脂製板片からなる。この揺動片３９の上端部には板面を前後に貫通する円形の軸孔３７が形成されており、該軸孔３７に支持軸３６を挿通させることによって、揺動片３９はタンクレール１９に沿って回動可能に吊り下げられる。ここで、軸孔３７の内周面には規制凸部４１が突成されており、支持軸３６の挿通時に、この規制凸部４１が支持軸３６の規制欠部４２に遊嵌して、図７（ａ）〜（ｃ）に示すように、規制凸部４１が規制欠部４２内を移動できる範囲内でのみ揺動片３９が回動可能となっている。具体的には、揺動片３９は垂下した状態から、タンクレール上流側（以下、上流側という）とタンクレール下流側（以下、下流側という）のいずれ側にも４５°の回動角度まで回動可能となっている。このように、本実施例においては、端部保持手段を構成する上部回動範囲規定手段が、規制凸部４１と規制欠部４２とによって構成される。
【００３３】
また、揺動片３９の前後面下部には、図６に示すように、可動球止片４０を夫々回動可能に軸支するための保持軸４６，４６が突設され、保持軸４６の直上位置には、各可動球止片４０の回動範囲を規定するための規制軸４７，４７が夫々突設される。
【００３４】
揺動片３９の両面に軸支される二つの可動球止片４０，４０は、図６に示すように、揺動片３９を挟んで相互に対称形状をなす。この可動球止片４０は、揺動片３９の保持軸４６に直接軸支される肉厚な中央板部４３と、該中央板部４３の一端から突出し、タンクレール１９の各流路３３を遮断する肉薄な遮断端部４４とで構成される。この可動球止片４０は樹脂材を主体とするものであり、中央板部４３の内部には球均し部材３５を垂下させるための金属製の重錘（図示省略）が内蔵される。
【００３５】
中央板部４３は、正面視が上下に長尺な長円形状をなしており、後述するように、その上流側下部の曲面部分がタンクレール１９の遊技球を均す作用を生じる。中央板部４３の、揺動片３９に対向する面には、図６に示すように、円形の保持穴４８が中央に形成されると共に、保持穴４８の周囲には円弧状の規制溝４９が形成される。可動球止片４０は、この保持穴４８に揺動片３９の保持軸４６を内嵌させることによって、揺動片３９に対して保持軸４６を中心に回動可能に軸支される。また、当該軸支状態で、規制溝４９内に揺動片３９の規制軸４７が内嵌して、可動球止片４０の回動に伴って規制軸４７が規制溝４９内を相対摺動するようになっており、規制軸４７が規制溝４９内を摺動可能な範囲内でのみ可動球止片４０が回動可能となっている。すなわち、本実施例においては、端部保持手段を構成する下部回動範囲規定手段が、規制軸４７と規制溝４９とで構成される。
【００３６】
遮断端部４４は、樹脂製の杆状薄肉片からなり、図６に示すように、中央板部４３の側面から突出するように配設される。この遮断端部４４は、正面略Ｃ字状をなすように切り欠かれており、当該切欠部分を支持軸３６と嵌合する嵌合凹部４５としている。
【００３７】
各可動球止片４０は、図８に示すように、保持軸４６を中心に回動することにより、遮断端部４４を上方の支持軸３６側に向ける球均し位置α１と、当該球均し位置α１から遮断端部４４を上流側に向ける方向に１３５°回動し、遮断端部４４を支持軸３６から離間させる球止め位置β１とに変換可能となっている。可動球止片４０の球均し位置α１では、図８（ａ）に示すように、遮断端部４４の前記嵌合凹部４５が支持軸３６に密嵌し、これによって遮断端部４４は球均し位置α１に係止されることとなる。すなわち、本実施例では、この嵌合凹部４５によって本発明に係る球均し係止手段が構成される。一方、可動球止片４０の球止め位置β１では、自重によって可動球止め片４０が球止め位置β１に留まるようになっている。また、可動球止片４０は、上述の規制軸４７と規制溝４９によって、球均し位置α１と球止め位置β１が回動可能範囲の両端となるよう設定されている。
【００３８】
球均し部材３５を支持軸３６に取り付けた状態では、図４，９に示すように、揺動片３９が仕切り壁部３２と上下に重なるように配置され、前後の可動球止片４０が各流路３３内に位置することとなる。かかる取付状態で、揺動片３９は、仕切り壁部３２との間に常に間隙が生じるように設計されており、仕切り壁部３２と当接せずにタンクレール１９に沿って回動可能となっている。ここで、可動球止片４０の球均し位置α１では、図４（ａ），９（ａ），１０（ａ）に示すように、可動球止片４０は、遮断端部４４を支持軸３６側に退避させると共に、中央板部４３を流路３３内に位置させて、中央板部４３の下端とタンクレール１９の内底面との間に、遊技球約１．５個分の間隙を生じさせる。かかる状態では、流路３３の最下層の遊技球ｘが当該間隙から下流側に通過可能となると共に、最下層の遊技球ｘに積み重なった上層の遊技球ｘは中央板部４３の下部と衝突し、球均し部材３５を下流側に押圧することとなる。これにより、図９（ｂ），１０（ｂ）に示すように、球均し部材３５は支持軸３６を中心に下流側に回動し、自重によって垂下状態に復帰しようとする球均し部材３５の復帰力によって上層の遊技球ｘが下方に押圧されることとなり、タンクレール１９の遊技球ｘは球均し部材３５によって一層に均されることとなる。
【００３９】
一方、可動球止片４０の球止め位置β１では、図４（ｂ），９（ｃ），１０（ｃ）に示すように、遮断端部４４が支持軸３６から離間して下方に突出し、遮断端部４４の先端がタンクレール１９の内底面に近接することにより流路３３が遮断される。ここで、上述のように、可動球止片４０は、球止め位置β１において下流側にそれ以上回動不能となっており、また、揺動片３９は、下流側に４５°傾いた位置で、下流側に回動不能となる。本実施例では、このように可動球止片４０と揺動片３９の回動範囲を規定することにより、図９（ｃ），１０（ｃ）に示すように、遮断端部４４が流路３３を遮断した状態で、揺動片３９と可動球止片４０が下流側に回動不能となり、上流側から遊技球ｘに押圧されても遮断端部４４が下流側に移動せず、遮断端部４４によって遊技球ｘが塞き止められることとなる。
【００４０】
このように、本実施例に係る球均し部材３５は、可動球止片４０を球均し位置α１に保持することで、球均し機能を好適に発揮することとなり、可動球止片４０を球止め位置β１に保持することで球止め機能を発揮することとなる。したがって、本実施例では、図１０（ａ），（ｂ）に示すように、通常状態では、各可動球止片４０を球均し位置α１に保持し、球均し部材３５によってタンクレール１９内を流れる遊技球ｘを一層に均すようにする。そして、故障や保守点検の際にタンクレール１９の遊技球を塞き止めるときは、支持軸３６と嵌合凹部４５の係合を解除して、図１０（ｃ）に示すように、各可動球止片４０を球均し位置α１から球止め位置β１に変換し、タンクレール１９の遊技球ｘを遮断端部４４によって塞き止める。
【００４１】
したがって、本実施例のパチンコ機１では、球均し部材３５によってタンクレール１９の球均しと球止めの両方を好適に行うことができるため、既存のパチンコ遊技機における球止め部材（図２７中のｇ）を省略することができ、球止め部材が設けられている裏機構板のスペースを有効活用することができる。また、球止め部材を省略することにより、部品点数を省略できるとともに、裏機構板への部品の組み付け作業を簡易化できるといった利点もある。
【００４２】
また、本実施例では、可動球止片４０の球均し位置α１で、遮断端部４４の嵌合凹部４５を支持軸３６に嵌合することで、可動球止片４０を揺動片３９に係止するようにしている。このため、球均しの際に、遊技球に押圧されて球均し部材３５が回動したり、振動したりしても、可動球止片４０は球均し位置α１に保持されることとなり、球均し部材３５の回動や振動によって可動球止片４０が球止め位置β１に変位して流路３３を遮断するおそれがない。
【００４３】
また、本実施例では、本発明に係る端部保持手段を、揺動片３９の回動範囲を規定する規制凸部４１及び規制欠部４２と、可動球止片４０の揺動片３９に対する回動範囲を規定する規制軸４７と規制溝４９とによって構成している。かかる構成によれば、端部保持手段をコンパクトな構成によって実現でき、裏機構板１５のスペースを割くことなく端部保持手段を設けることができる。また、端部保持手段は球均し部材３５と支持軸３６に一体的に設けられているため、裏機構板１５に組み付ける手間も要しない。さらに、本構成では、可動球止片４０を球止め位置β１に変換して遮断端部４４で流路３３を遮断するだけで、遮断端部４４を自動的に保持できるといった利点がある。
【００４４】
次に、第一実施例から球均し部材の構成を変更した第二実施例について説明する。なお、第一実施例と共通する構成については、説明を簡略又は省略する。
【００４５】
図１１（ａ），（ｂ）に示すように、本実施例では、第一実施例同様に、裏機構板１５の、タンクレール１９の上方位置に、タンクレール１９の遊技球の流下方向に直交する細長円柱形状の支持軸３６ａが突設され、球均し部材３５ａは、上端部をこの支持軸３６ａに軸支され、タンクレール１９に沿って回動可能となるよう吊り下げられる。
【００４６】
また、球均し部材３５ａは、図１１，１２に示すように、前後対称形状をなすものであって、支持軸３６ａに直接吊り下げられる揺動片３９ａと、該揺動片３９ａに軸支される一対の可動球止片４０ａ，４０ａとからなる。なお、本実施例では、揺動片３９が合成樹脂により構成されるのに対し、可動球止片４０ａは樹脂より比重の重いステンレスにより構成されており、球均し部材３５ａを下方に垂下させる重錘として機能する。
【００４７】
揺動片３９ａは、図１１，１２に示すように、平面略Ｌ字状をなす樹脂片を、平面略コ字状をなすように前後に接合してなるものであり、下流側に開放するコ字状の凹部内を、可動球止片４０ａを収納する収納部５０とする。収納部５０の上部には、管状の軸孔管部５１が前後に架設されており、この軸孔管部５１に支持軸３６ａを挿通させることによって、揺動片３９ａはタンクレール１９に沿って回動可能に吊り下げられる。また、収納部５０の下部には、管状の保持軸４６ａが前後方向に設けられており、この保持軸４６ａに、各可動球止片４０ａ，４０ａがワッシャ５８を挟んで前後に並んで軸支される。さらに、揺動片３９ａの上流側板部の下部は、当接する遊技球を均すために湾曲形状をなすとともに、下部中央にはタンクレール１９の仕切り壁部３２を進入させる溝状の逃げ部５７が形成される。
【００４８】
可動球止片４０ａは、図１２に示すように、保持軸４６ａを挿通させる軸孔が形成された保持孔部５２と、該保持孔部５２から突出する杆状の遮断端部４４ａとで構成される。各可動球止片４０ａは、図１３に示すように、保持軸４６ａを中心に回動することによって、遮断端部４４ａを支持軸３６ａ側に向けて、揺動片３９ａの収納部５０内に収容される球均し位置α２と、遮断端部４４ａを、該球均し位置α２から下流側に１３５°回動して支持軸３６ａから離間する球止め位置β２とに変換可能となっている。また、遮断端部４４ａの側部には正面視略Ｃ字状の嵌合凹部４５ａが形成されており、可動球止片４０ａの球均し位置α２で、この嵌合凹部４５ａが軸孔管部５１に外嵌して係合することによって、可動球止片４０ａが球均し位置α２に係止されるようになっている。すなわち、本実施例では、この嵌合凹部４５ａによって本発明に係る球均し係止手段が構成される。
【００４９】
また、遮断端部４４ａの先端には、遮断端部４４ａをタンクレール１９の内底面に係止するための鉤状の係合凸部５５が形成される。すなわち、図１４に示すように、タンクレール１９の内底面には、この係合凸部５５と係合し得る溝状の係合凹部５６が貫設されており、可動球止片４０ａの球止め位置β２において係合凸部５５と係合凹部５６を係合させることによって、遊技球ｘの流圧に抗して遮断端部４４ａを当該位置で保持可能となっている。すなわち、本実施例では、本発明に係る端部保持手段が、この係合凸部５５と係合凹部５６とにより構成される。
【００５０】
球均し部材３５ａを支持軸３６ａに取り付けた状態では、図１５に示すように揺動片３９ａの逃げ部５７内に仕切り壁部３２が進入し、揺動片３９ａの両側下部が各流路３３内に位置する。ここで、可動球止片４０ａの球均し位置α２では、図１５（ａ），１６（ａ），１７（ａ）に示すように収納部５０に収容されて遮断端部４４ａを支持軸３６ａ側に退避させており、球均し部材３５ａの下端（揺動片３９ａの下端）とタンクレール１９の内底面との間には遊技球約１．５個分の間隙が生じると共に、球均し部材３５ａはタンクレール１９と衝突することなく支持軸３６ａを中心に回動可能となる。このため、かかる状態では、流路３３の最下層の遊技球ｘが球均し部材３５ａの下方の間隙から下流側に通過可能となると共に、上層の遊技球ｘは揺動片３９ａの上流側下部に衝突し、球均し部材３５を下流側に回動させ、図１７（ｂ）に示すように、垂下状態に復帰しようとする球均し部材３５ａに適切な力で下方に押圧されることによって平らに均されることとなる。
【００５１】
一方、可動球止片４０ａが球止め位置β２に変位した状態では、図１５（ｂ），１６（ｂ），１７（ｃ）に示すように、遮断端部４４ａが支持軸３６から離間して突出し、遮断端部４４ａの先端がタンクレール１９の内底面に当接することにより、流路３３が遮断される。ここで、上述のように、遮断端部４４ａの係合凸部５５をタンクレール１９内底面の係合凹部５６に係合することにより、遮断端部４４ａを下流側に移動不能となるよう保持できるため、このように、遮断端部４４ａを保持することによって、タンクレール１９の遊技球ｘを遮断端部４４によって塞き止めることができる。
【００５２】
このように、本実施例に係る球均し部材３５ａは、可動球止片４０ａを球均し位置α２に保持することで球均し機能を発揮することとなり、可動球止片４０ａを球止め位置β２に保持することで球止め機能を発揮することとなる。したがって、本実施例では、図１７（ａ），（ｂ）に示すように、通常状態では、各可動球止片４０ａを球均し位置α２に保持し、球均し部材３５ａによってタンクレール１９内を流れる遊技球ｘを一層に均すようにする。そして、故障や保守点検の際にタンクレール１９の遊技球を塞き止めるときは、可動球止片４０ａと支持軸３６ａの係合を解除して、図１７（ｃ）に示すように、各可動球止片４０ａを球均し位置α２から球止め位置β２に変換して、各流路３３を遮断端部４４ａで遮断すると共に、遮断端部４４ａの係合凸部５５を係合凹部５６と係合させて遮断端部４４ａが下流側に移動しないように保持し、タンクレール１９の遊技球ｘを塞き止める。
【００５３】
したがって、本実施例にあっても、球均し部材３５ａによってタンクレール１９の球均しと球止めの両方を好適に行うことができ、既存のパチンコ遊技機における球止め部材を省略することができる。特に、本実施例では、図１７（ｃ）に示すように、可動球止片４０ａを球止め位置β２に変位させる際に、揺動片３９ａによって上層の遊技球ｘの流下を抑えておくことができるため、可動球止片４０ａを円滑に変位させることができるといった利点がある。
【００５４】
また、本実施例では、遮断端部４４ａの先端に形成された係合凸部５５と、該係合凸部５５と係合可能なタンクレール１９内底面の係合凹部５６とにより本発明に係る端部保持手段を構成している。かかる構成では、遊技球を塞き止める遮断端部４４ａを直接支持するため、保持孔部５２周囲で可動球止片４０ｂの回動を規制するよりも、一定量の流圧に対して遮断端部４４ａを少ない力で安定に保持できるといった利点がある。また、本構成によれば、可動球止片４０ｂとタンクレール１９に係合凸部５５と係合凹部５６を形成するだけで、部品点数を増加させずに端部保持手段が実現できるという利点もある。
【００５５】
また、本実施例では、可動球止片４０ａを比重の比較的大きい金属（ステンレス）で形成することにより、可動球止片４０ａ自体を軽量な揺動片３９ａの錘部として機能させ、流下する遊技球から流圧が加わっても球均し部材３５ａが支持軸３６ａを中心に一回転することなく球均し機能を発揮することができる。
【００５６】
次に、第一実施例から球均し部材の構成を変更した第三実施例について説明する。なお、第一実施例と共通する構成については、説明を簡略又は省略する。
【００５７】
図１８（ａ），（ｂ）に示すように、本実施例では、第一実施例同様に、裏機構板１５の、タンクレール１９の上方位置に、タンクレール１９の遊技球の流下方向に直交する断面略円形の支持軸３６ｂが突設され、球均し部材３５ｂは、上端部をこの支持軸３６ｂに軸支され、タンクレール１９に沿って回動可能となるよう吊り下げられる。支持軸３６ｂは弾性樹脂材からなると共に、その中央を上下に縦断する切り溝６０によって左右に分離しており、支持軸３６ｂを左右から摘んで切り溝６０内に撓ませることによって、支持軸３６ｂの左右幅を縮小できるようになっている。また、支持軸３６ｂの先端側部分と根元側部分は中間部分よりも太径であり、且つ先端側部分は先端方向に縮径するテーパー状をなしており、球均し部材３５を先端側部分から圧入して中間部分で保持するようになっている。
【００５８】
球均し部材３５ｂは、図１８，１９に示すように、前後対称形状をなすものであり、支持軸３６ｂに軸支される肉厚な揺動片３９ｂと、該揺動片３９ｂの前後に位置する薄板状の可動球止片４０ｂ，４０ｂとで構成される。ここで、本実施例の可動球止片４０ｂ，４０ｂは、揺動片３９ｂに軸支されるのではなく、支持軸３６ｂに直接軸支されることを特徴とする。
【００５９】
揺動片３９ｂは、正面視略長円形状の樹脂製板片からなり、その内部には金属製の重錘（図示省略）が組み込まれている。揺動片３９ｂの上端部には板面を前後に貫通する円形の軸孔３７ｂが形成されており、該軸孔３７ｂに支持軸３６ｂを挿通させることによって、揺動片３９ｂはタンクレール１９に沿って回動可能に吊り下げられる。この揺動片３９ｂの前後幅は、タンクレール１９の幅よりも僅かに狭幅であり、後述するように、その上流側下部をタンクレール１９の遊技球ｘと当接することにより当該遊技球に均し作用を生じることとなる。揺動片３９ｂの下部には、仕切り壁部３２との当接を回避するための溝状の逃げ部５７ｂが形成され、揺動片３９ｂ下部の上流側面には、遊技球を均すための湾曲面が形成される。
【００６０】
揺動片３９ｂの前後の可動球止片４０ｂ，４０ｂは、図１９に示すように、前後に扁平な杆状薄板片からなるものであり、揺動片３９ｂを挟んで相互に対称形状をなし、揺動片３９ｂを挟んで相互に対向するように支持軸３６ｂに取り付けられる。各可動球止片４０ｂは、上下に長尺な板片からなり、支持軸３６ｂを挿通させる上下に長尺なガイド溝６２が形成された上部のガイド部６１と、タンクレール１９内の遊技球の流路を遮断するための遮断端部４４ｂとで構成される。
【００６１】
遮断端部４４ｂは、その下縁と下流側縁とから、揺動片３９ｂ方向に延出する正面視略Ｌ字状の球止板６３を備え、該球止板６３内を、遊技球ｘを収容する収容凹部６４とする。後述するように、本実施例では、本発明に係る端部保持手段が、この収容凹部６４により構成される。
【００６２】
一方、ガイド溝６２は、切り溝６０内に撓んで縮幅した支持軸３６ｂの中間部分が辛うじて通過し得る幅をなしており、且つその上下の端部には、支持軸３６ｂの中間部分を内部で回転させ得る円形の膨大部６５ａ，６５ｂが形成される。
【００６３】
このようにガイド溝６２は、上述のように両端部以外が狭幅となっているため、縮径させない限り支持軸３６ｂは膨大部６５ａ，６５ｂのいずれかに保持されることとなる。本実施例では、支持軸３６ｂを下端の膨大部６５ｂに保持して遮断端部４４ｂを支持軸３６ｂ側に退避させる位置を可動球止片４０ｂの球均し位置α３（図２０（ａ）参照）とすると共に、支持軸３６ｂを上端の膨大部６５ａに保持して遮断端部４４ｂを支持軸３６から離間する方向に突出させる位置を可動球止片４０ｂの球止め位置β３（図２０（ｂ）参照）とする。
【００６４】
ここで、可動球止片４０ｂの球均し位置α３では、図２０（ａ）に示すように、遮断端部４４ｂを垂下させた状態で、垂下する揺動片３９ｂの下部に球止板６３を下流側から当接するようになっており、かかる状態から揺動片３９ｂが下流側に回動すると可動球止片４０ｂも一体となって回動するようになっている。一方、可動球止片４０ｂの球止め位置β３では、揺動片３９ｂと可動球止片４０ｂとが衝突することなく支持軸３６ｂを中心に独立して回動可能となる。
【００６５】
球均し部材３５ｂを支持軸３６ｂに取り付けた状態では、図２０，２１に示すように揺動片３９ｂの逃げ部５７ｂ内に仕切り壁部３２が進入し、揺動片３９ｂの両側下部が各流路３３内に位置する。
【００６６】
ここで、可動球止片４０ｂの球均し位置α３では、図２０（ａ），２１（ａ），２２（ａ）に示すように、遮断端部４４ｂの下端は揺動片３９ｂの下端と略同じ高さ位置にあり、球均し部材３５ｂの下端とタンクレール１９の内底面との間には、遊技球約１．５個分の間隙が生じる。このため、かかる状態では、球均し部材３５ｂは、図２２（ａ）に示すように、流路３３の最下層の遊技球ｘに積み重なった上層の遊技球ｘが球均し部材３５の下部（揺動片３９ｂの下部）と衝突することとなり、かかる上層の遊技球ｘに押圧されて、揺動片３９ｂと可動球止片４０ｂが一体となって、支持軸３６を中心に下流側に回動すると共に、自重によって垂下状態に復帰しようとする復帰力により上層の遊技球ｘを下方に押圧することにより、タンクレール１９の遊技球に均し作用を生じることとなる。
【００６７】
一方、可動球止片４０ｂの球止め位置β３では、図２０（ｂ），２１（ｂ），２２（ｂ）に示すように、垂下した遮断端部４４ｂが下方に突出し、タンクレール１９の内底面に当接することにより流路３３を遮断可能となる。ここで、図２２（ｂ）に示すように、遮断端部４４ｂの下端をタンクレール１９の内底面に当接した状態で、上流側から流下する遊技球ｘが、遮断端部４４ｂ先端の収容凹部６４に進入して収容され、当該収容凹部６４に収容した遊技球ｘの重みによって遮断端部４４ｂは遊技球の流圧が加わっても移動しないよう保持されることとなる。したがって、可動球止片４０ｂの球止め位置β３では、遮断端部４４ｂによって流路３３を遮断すると共に、可動球止片４０ｂを下流側に移動不能に保持することができ、タンクレール１９の遊技球ｘを遮断端部４４ｂによって塞き止めることができる。
【００６８】
このように、本実施例に係る球均し部材３５ｂは、可動球止片４０ｂを球均し位置α３に保持することで、球均し機能を発揮させることができ、可動球止片４０ｂを球止め位置β３に保持することで、球止め機能を発揮させることができる。したがって、本実施例では、通常状態では、図２２（ａ）に示すように、各可動球止片４０ｂを球均し位置α３に保持し、球均し部材３５ｂによってタンクレール１９内を流れる遊技球ｘを一層に均させる。一方、故障や保守点検の際にタンクレール１９の遊技球を塞き止めるときは、図２２（ｂ）に示すように、各可動球止片４０ｂを球止め位置β３に保持してタンクレール１９内の遊技球通過を遮断して、球払出装置２０や球通路２１を取り外す場合に、タンクレール１９内の遊技球ｘが球通路２１に流下して機外にこぼれ落ちるのを防止できる。
【００６９】
次に、可動球止片４０ｂの位置変換方法を、図２３〜２６を用いて説明する。
可動球止片４０ｂを球均し位置α３から球止め位置β３に移動させる際には、まず、図２３（ａ）〜２３（ｃ），２５に示すように、遮断端部４４ｂが上方に向くように回動させる。そして、図２３（ｄ），図２６（ａ），（ｂ）に示すように、かかる状態から支持軸３６ｂを左右に摘んで縮径させると共に、可動球止片４０ｂを上方に引き上げることにより、ガイド溝６２の狭幅部内を通過させて、支持軸３６ｂを膨大部６５ａに変位させ、可動球止片４０ｂを球止め位置β３とする。あとは、かかる位置から、図２４（ｅ）〜２４（ｇ），２６（ｆ）に示すように、可動球止片４０ｂを下流側に回動させて遮断端部４４ｂをタンクレール１９の内底面に当接させれば、収容凹部６４に遊技球ｘが進入して、可動球止片４０ｂが移動困難に保持されることとなる。なお、前後の可動球止片４０ｂ，４０ｂの位置変換方法は全く同じであり、一方を位置変換させた後、残る一方を位置変換すれば、両可動球止片４０ｂを球均し位置α３から球止め位置β３に変換できる。また、可動球止片４０ｂを球止め位置β３から球均し位置α３へ変換する場合は、上述の操作と逆操作を行えばよい。なお、ガイド溝６２に沿って支持軸３６を移動させる際に、遮断端部４４ｂを上方に向けるのは、遮断端部４４ｂを垂下させた状態では、タンクレール１９内の遊技球に可動球止片４０ｂの移動を邪魔されやすいためである。タンクレール１９内に遊技球が存在しない場合は、遮断端部４４ｂを上方回動させることなく、可動球止片４０ｂを上下にスライドさせるだけで、球均し位置α３と球止め位置β３に変換できる。
【００７０】
このように、本実施例にあっても、球均し部材３５ｂによってタンクレール１９の球均しと球止めの両方を好適に行うことができるため、既存のパチンコ遊技機における球止め部材を省略することができ、球止め部材が設けられている裏機構板のスペースを有効活用することができる。特に、本実施例では、可動球止片４０ｂが、揺動片３９ｂを介さずに支持軸３６ｂに直接取り付けられているため、上述の実施例と比較して、可動球止片４０ｂが安定に保持できると共に、揺動片３９ｂの構造を簡素化することができる。
【００７１】
また、本実施例では、遮断端部４４ｂに形成された収容凹部６４によって本発明に係る端部保持手段が構成される。かかる構成では、部品点数を増加させずに端部保持手段を構成できるといった利点があると共に、遮断端部４４ｂによって遊技球ｘの流路を遮断するだけで、収容凹部６４に遊技球が進入して遮断端部４４ｂが保持されるため、遮断端部４４ｂを保持するためにタンクレール１９等に係止するといった手間を要しない。
【００７２】
以上のように本発明の実施形態を実施例によって説明したが、本発明の実施形態は上述の実施例の形態に限定されるものではなく、本発明の要旨を逸脱しない範囲内において種々変更を加え得ることは勿論である。
【００７３】
例えば、第一実施例では、支持軸３６よりも遮断端部４４が下流側に傾いた状態で遮断端部４４の下流側への移動が規制され、当該位置で球止め可能となるよう構成している。しかし、これに限らず、規制欠部４２や規制溝４９の形状を変更して、遮断端部４４が支持軸３６よりも上流側に傾いた状態で球止めを行うことも可能である。
【００７４】
また、第二実施例では、可動球止片４０ａを比重の比較的大きい金属で構成することにより、球均し部材３５ａの重錘として機能させているが、これに限らず、球均し部材３５ａに別途金属製の重錘を設けても良い。
【００７５】
また、第三実施例では、球均し位置α３を基準として、支持軸３６ｂよりも下流側で遊技球を塞き止めるように可動球止片４０ｂを移動しているが、これに限らず、支持軸３６ｂよりも上流側にて遊技球を塞き止めるよう可動球止片４０ｂを移動することもできる。この場合、上流側から遊技球に押圧される遮断端部４４ｂは、支持軸３６だけでなくタンクレール１９の内底面にも支持されるため、下流側で塞き止める場合に比べ、遮断端部４４ｂを流圧に抗してより強固に保持可能となる。
【００７６】
また、実施例のタンクレール１９は、仕切り壁部３２によって二条の流路に区画されたものであるが、本発明は区画されていないタンクレールや、三条以上に区画されたタンクレールにも適用可能である。また、実施例の可動球止片は、二条の流路を別々に塞き止めるものであるが、単一の可動球止片によって複数条の流路を塞き止めるような構成も可能であるし、三つ以上の可動球止片を備える構成も可能である。
【図面の簡単な説明】
【００７７】
【図１】第一実施例のパチンコ遊技機１の正面図である。
【図２】ガラス扉１０を開放したパチンコ遊技機１の斜視図である。
【図３】裏機構板１５の背面図である。
【図４】タンクレール１９中流部位の縦断側面図であり、（ａ）は可動球止片４０が球均し位置α１にある状態を、（ｂ）は可動球止片４０が球止め位置β１にある状態を示す。
【図５】タンクレール１９中流部位の拡大斜視図であり、（ａ）は球均し部材３５を分離した状態を、（ｂ）は球均し部材３５を組み付けた状態を示す。
【図６】球均し部材３５の分解斜視図である。
【図７】揺動片３９の回動範囲の規制態様を示す揺動片３９及び支持軸３６の拡大断面図である。
【図８】可動球止片４０の変換態様を示す球均し部材３５の斜視図である。
【図９】可動球止片４０の変換態様を示すタンクレール１９中流部位の拡大斜視図であり、（ａ），（ｂ）は可動球止片４０が球均し位置α１にある状態を、（ｃ）は可動球止片４０が球止め位置β１にある状態を示す。
【図１０】球均し部材３５の使用態様を示すタンクレール１９中流部位の拡大縦断面図であり、（ａ）は球均しを行う状態を、（ｂ）は球止めを行う状態を示す。
【図１１】第二実施例のタンクレール１９中流部位の拡大斜視図であり、（ａ）は球均し部材３５ａを分離した状態を、（ｂ）は球均し部材３５ａを組み付けた状態を示す。
【図１２】球均し部材３５ａの分解斜視図である。
【図１３】可動球止片４０ａの変換態様を示す球均し部材３５ａの斜視図である。
【図１４】係合凸部５５と係合凹部５６の係合態様を示すタンクレール１９内底面の拡大縦断面図である。
【図１５】タンクレール１９中流部位の縦断面図であり、（ａ）は可動球止片４０ａが球均し位置α１にある状態を、（ｂ）は可動球止片４０ａが球止め位置β１にある状態を示す。
【図１６】可動球止片４０ａの変換態様を示すタンクレール１９中流部位の拡大斜視図であり、（ａ）は可動球止片４０ａが球均し位置α１にある状態を、（ｂ）は可動球止片４０ａが球止め位置β１にある状態を示す。
【図１７】球均し部材３５ａの使用態様を示すタンクレール１９中流部位の拡大縦断面図であり、（ａ）は球均しを行う状態を、（ｂ）は球止めを行う状態を示す。
【図１８】第三実施例のタンクレール１９中流部位の拡大斜視図であり、（ａ）は球均し部材３５ｂを分離した状態を、（ｂ）は球均し部材３５ｂを組み付けた状態を示す。
【図１９】球均し部材３５ｂの分解斜視図である。
【図２０】タンクレール１９中流部位の拡大斜視図であり、（ａ）は可動球止片４０ａが球均し位置α３にある状態を、（ｂ）は可動球止片４０ｂが球止め位置β３にある状態を示す。
【図２１】タンクレール１９中流部位の縦断側面図であり、（ａ）は可動球止片４０ａが球均し位置α３にある状態を、（ｂ）は可動球止片４０ｂが球止め位置β３にある状態を示す。
【図２２】球均し部材３５ｂの使用態様を示すタンクレール１９中流部位の拡大縦断面図であり、（ａ）は球均しを行う状態を、（ｂ）は球止めを行う状態を示す。
【図２３】可動球止片４０ｂの変換態様を示す球均し部材３５ｂの斜視図である。
【図２４】図２３から続く、可動球止片４０ｂの変換態様を示す球均し部材３５ｂの斜視図である。
【図２５】可動球止片４０ｂの変換態様を示すタンクレール１９中流部位の拡大縦断面図である。
【図２６】図２５から続く、可動球止片４０ｂの変換態様を示すタンクレール１９中流部位の拡大縦断面図である。
【図２７】従来の球均し部材ｂ及び球止め部材ｇを示す裏機構板ｍの拡大背面図である。
【符号の説明】
【００７８】
１  パチンコ遊技機
３  遊技機本体
１５  裏機構板
１７  球タンク
１９  タンクレール
３３  流路
３５，３５ａ，３５ｂ  球均し部材
３６，３６ａ，３６ｂ  支持軸
３９，３９ａ，３９ｂ  揺動片
４０，４０ａ，４０ｂ  可動球止片
４１  規制凸部
４２  規制欠部
４４，４４ａ，４４ｂ  遮断端部
４５，４５ａ  嵌合凹部
４７  規制軸
４９  規制溝
５５  係合凸部
５６  係合凹部
６２  ガイド溝
６４  収容凹部
ｘ 遊技球
α１，α２，α３  球均し位置
β１，β２，β３  球止め位置
【図１】
0004713309.tif 000002
【図２】
0004713309.tif 000003
【図３】
0004713309.tif 000004
【図４】
0004713309.tif 000005
【図５】
0004713309.tif 000006
【図６】
0004713309.tif 000007
【図７】
0004713309.tif 000008
【図８】
0004713309.tif 000009
【図９】
0004713309.tif 000010
【図１０】
0004713309.tif 000011
【図１１】
0004713309.tif 000012
【図１２】
0004713309.tif 000013
【図１３】
0004713309.tif 000014
【図１４】
0004713309.tif 000015
【図１５】
0004713309.tif 000016
【図１６】
0004713309.tif 000017
【図１７】
0004713309.tif 000018
【図１８】
0004713309.tif 000019
【図１９】
0004713309.tif 000020
【図２０】
0004713309.tif 000021
【図２１】
0004713309.tif 000022
【図２２】
0004713309.tif 000023
【図２３】
0004713309.tif 000024
【図２４】
0004713309.tif 000025
【図２５】
0004713309.tif 000026
【図２６】
0004713309.tif 000027
【図２７】
0004713309.tif 000028